(57)【要約】【課題】ユーザーの利便性を向上する。【解決手段】第１画像形成装置１０１は、画像形成部４と、受信部６０１と、第１判定部６０２と、第２判定部６０３と、転送部６０５とを備える。画像形成部４は、用紙Ｐに画像Ｍを形成する。受信部６０１は、第２画像形成装置１０２から画像情報ＭＪを受信する。第１判定部６０２は、トナー供給部１３に装着されたトナーコンテナ１３０が、第１コンテナＴＣ１であるか第１コンテナＴＣ１と相違する第２コンテナＴＣ２であるかを判定する。トナーコンテナ１３０が第２コンテナＴＣ２であると第１判定部６０２が判定した場合に、第２判定部６０３は、第３画像形成装置１０３に画像情報ＭＪを転送するか否かを判定する。転送部６０５は、第２判定部６０３の判定結果に応じて、画像情報ＭＪを第３画像形成装置１０３に転送する。【選択図】図４
2019095588.tif 000002
【特許請求の範囲】
【請求項１】
複数の画像形成装置と通信可能に接続され、
消耗品を収容する交換部品が装着される装着部と、
前記消耗品を消費することによって記録媒体に画像を形成する画像形成部と、
前記複数の画像形成装置のうちの１つの画像形成装置から画像情報を受信する受信部と、
前記装着部に装着された交換部品が、第１交換部品であるか前記第１交換部品と相違する第２交換部品であるかを判定する第１判定部と、
前記交換部品が前記第２交換部品であると前記第１判定部が判定した場合に、前記複数の画像形成装置のうちの他の１つの画像形成装置に前記画像情報を転送するか否かを判定する第２判定部と、
前記第２判定部の判定結果に応じて、前記画像情報を前記他の画像形成装置に転送する転送部と
を備え、
前記他の１つの画像形成装置は、前記１つの画像形成装置とは相違する、画像形成装置。
【請求項２】
前記他の１つの画像形成装置は、前記第１交換部品が装着されている画像形成装置を示す、請求項１に記載の画像形成装置。
【請求項３】
前記画像情報は、前記画像情報が転送される転送先の画像形成装置の識別情報を含む、請求項１又は請求項２に記載の画像形成装置。
【請求項４】
要求品質が第１品質であるか、前記第１品質より低い第２品質であるかを判定する第３判定部を更に備え、
前記要求品質は、前記画像情報が示す画像を前記記録媒体に形成する際に前記画像に対して要求される品質を示し、
前記第２判定部は、前記第３判定部の判定結果に基づいて、前記他の１つの画像形成装置に転送するか否かを判定する、請求項１から請求項３のいずれか１項に記載の画像形成装置。
【請求項５】
前記第３判定部は、前記画像情報に含まれる記号オブジェクトのサイズに基づいて、前記要求品質が前記第１品質であるか、前記第２品質であるかを判定する、請求項４に記載の画像形成装置。
【請求項６】
前記第３判定部は、前記画像情報に画像オブジェクトが含まれるか否かに基づいて、前記要求品質が前記第１品質であるか、前記第２品質であるかを判定する、請求項４又は請求項５に記載の画像形成装置。
【請求項７】
前記画像情報は、モノクロ画像を示し、
前記装着部には、複数色の消耗品をそれぞれ収容する複数の交換部品が装着され、
前記画像形成部は、前記複数色の消耗品を消費することによって前記記録媒体にカラー画像を形成可能であり、
前記第１判定部は、前記複数の交換部品の各々が前記第１交換部品であるか、前記第２交換部品であるかを判定し、
前記複数色は、黒色を含み、
前記第２判定部は、前記黒色の消耗品が収納された交換部品が前記第２交換部品であると前記第１判定部が判定した場合に、前記他の１つ画像形成装置に転送するか否かを判定する、請求項１から請求項６のいずれか１項に記載の画像形成装置。
【請求項８】
前記複数色は、前記黒色以外の色を含み、
前記画像形成部が前記黒色以外の色の消耗品を消費して前記記録媒体に画像を形成するように前記画像形成部を制御する指示部を更に含み、
前記黒色以外の色の消耗品が収納された前記交換部品が前記第１交換部品であると前記第１判定部が判定し、且つ、前記他の画像形成装置に転送しないと前記第２判定部が判定した場合に、前記指示部は、前記画像形成部が前記黒色以外の色の消耗品を消費して前記記録媒体に画像を形成するように前記画像形成部を制御する、請求項７に記載の画像形成装置。
【請求項９】
複数の情報処理装置と通信可能に接続され、
前記シアン色の消耗品が収納された前記交換部品が前記第１交換部品であると前記第１判定部が判定し、且つ、前記他の画像形成装置に転送しないと前記第２判定部が判定した場合に、前記転送部は、前記画像情報を前記複数の情報処理装置のうちの１つの情報処理装置に転送する、請求項８に記載の画像形成装置。
【請求項１０】
情報を削除する削除部を更に備え、
前記画像情報を前記転送部が前記他の画像形成装置に転送した場合に、前記削除部は、前記画像情報を削除する、請求項１から請求項９のいずれか１項に記載の画像形成装置。
【請求項１１】
前記削除部は、前記画像情報を前記受信部が受信してから所定期間経過した場合に、前記画像情報を削除する、請求項１０に記載の画像形成装置。
【発明の詳細な説明】
【技術分野】
【０００１】
本発明は、画像形成装置に関する。
【背景技術】
【０００２】
特許文献１に記載の画像形成装置の制御部は、トナーカートリッジが純正品であるか、非純正品であるかの判別を行う。そして、制御部は、非純正品であると判別した場合には、課金方式に基づいて、印刷動作を許可するか制限するかを決定する。具体的には、制御部は、課金方式がチャージ方式である場合には、１枚も印刷することなく印刷動作を禁止する。チャージ方式は、印刷枚数に応じて課金を行う方式を示す。
【先行技術文献】
【特許文献】
【０００３】
【特許文献１】特開２００９−８７５７号公報
【発明の概要】
【発明が解決しようとする課題】
【０００４】
特許文献１に記載の画像形成装置では、トナーカートリッジが非純正品であると判別し、且つ、課金方式がチャージ方式である場合には、１枚も印刷することなく印刷動作が禁止されるため、ユーザーの利便性が低下する可能性がある。
【０００５】
本発明は、上記課題に鑑みてなされたものであり、ユーザーの利便性を向上可能な画像形成装置を提供することを目的としている。
【課題を解決するための手段】
【０００６】
本発明に係る画像形成装置は、複数の画像形成装置と通信可能に接続され、装着部と、画像形成部と、受信部と、第１判定部と、第２判定部と、転送部とを備える。前記装着部は、消耗品を収容する交換部品が装着される。前記画像形成部は、前記消耗品を消費することによって記録媒体に画像を形成する。前記受信部は、前記複数の画像形成装置のうちの１つの画像形成装置から画像情報を受信する。前記第１判定部は、前記装着部に装着された交換部品が、第１交換部品であるか前記第１交換部品と相違する第２交換部品であるかを判定する。前記交換部品が前記第２交換部品であると前記第１判定部が判定した場合に、前記第２判定部は、前記複数の画像形成装置のうちの他の１つの画像形成装置に前記画像情報を転送するか否かを判定する。前記他の１つの画像形成装置は、前記１つの画像形成装置とは相違する。前記転送部は、前記第２判定部の判定結果に応じて、前記画像情報を前記他の画像形成装置に転送する。
【発明の効果】
【０００７】
本発明の画像形成装置によれば、ユーザーの利便性を向上できる。
【図面の簡単な説明】
【０００８】
【図１】本発明の実施形態に係る画像形成装置の接続状態の一例を示す図である。
【図２】本発明の実施形態に係る画像形成装置の構成の一例を示す図である。
【図３】本発明の実施形態に係る画像形成装置における画像情報の転送処理の一例を示す図である。
【図４】本発明の実施形態に係る制御部の構成の一例を示す図である。
【図５】（ａ）は、記号オブジェクトを含む画像情報の一例を示す図である。（ｂ）は、画像オブジェクトを含む画像情報の一例を示す図である。
【図６】制御部がタッチパネルに表示する画面の一例を示す画面図である。（ａ）は、転送画面の一例を示す画面図である。（ｂ）は、画像削除画面の一例を示す画面図である。
【図７】制御部の処理の一例を示すフローチャートである。
【図８】制御部の処理の一例を示すフローチャートである。
【図９】制御部の処理の一例を示すフローチャートである。
【図１０】制御部の処理の一例を示すフローチャートである。
【図１１】制御部の処理の一例を示すフローチャートである。
【図１２】制御部の処理の一例を示すフローチャートである。
【図１３】制御部の要求品質判定処理の一例を示すフローチャートである。
【発明を実施するための形態】
【０００９】
以下、本発明の実施形態について、図面（図１〜図１３）を参照しながら説明する。なお、図中、同一又は相当部分については同一の参照符号を付して説明を繰り返さない。
【００１０】
まず、図１を参照して、本発明の実施形態に係る画像形成装置１００の接続状態について説明する。図１は、画像形成装置１００の接続状態の一例を示す図である。図１に示すように、画像形成システム２００は、３台の画像形成装置１００と、３台のパーソナルコンピューター（ＰＣ：Ｐｅｒｓｏｎａｌ  Ｃｏｍｐｕｔｅｒ）７とを備える。
【００１１】
３台の画像形成装置１００は、第１画像形成装置１０１、第２画像形成装置１０２及び第３画像形成装置１０３を含む。３台の画像形成装置１００の各々は、ネットワーク８を介して、互いに通信可能に接続される。また、３台の画像形成装置１００の各々は、ネットワーク８を介して、３台のパーソナルコンピューター７と通信可能に接続される。３台の画像形成装置１００の各々は、ファクシミリ機能を有する。
【００１２】
３台のパーソナルコンピューター７は、パーソナルコンピューター７Ａ、パーソナルコンピューター７Ｂ及びパーソナルコンピューター７Ｃを含む。３台のパーソナルコンピューター７の各々は、「情報処理装置」の一例に相当する。
【００１３】
ネットワーク８は、例えばインターネットである。本発明の実施形態では、ネットワーク８がインターネットであるが、本発明はこれに限定されない。ネットワーク８は、３台の画像形成装置１００の各々を互いに通信可能に接続し、且つ、３台の画像形成装置１００の各々と３台のパーソナルコンピューター７の各々とを通信可能に接続すればよい。例えば、ネットワーク８がＬＡＮ（Ｌｏｃａｌ  Ａｒｅａ  Ｎｅｔｗｏｒｋ）でもよいし、ＷＡＮ（Ｗｉｄｅ  Ａｒｅａ  Ｎｅｔｗｏｒｋ）でもよい。
【００１４】
次に、図１及び図２を参照して、本発明の実施形態に係る画像形成装置１００の構成について説明する。図２は、画像形成装置１００の構成を示す図である。画像形成装置１００は、カラー複合機である。
【００１５】
図２に示すように、画像形成装置１００は、画像形成ユニット１、画像読取ユニット２、原稿搬送ユニット３、操作パネル１４及び制御部６を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部６は、画像形成装置１００の動作を制御する。
【００１６】
画像形成ユニット１は、給送部１２、搬送部Ｌ、トナー供給部１３、画像形成部４及び排出部１７を備える。画像形成部４は、転写部５及び定着部１６を含む。
【００１７】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１８】
トナー供給部１３は、画像形成部４にトナーを供給する。トナー供給部１３には、トナーコンテナ１３１、トナーコンテナ１３２、トナーコンテナ１３３及びトナーコンテナ１３４が装着される。トナー供給部１３は、「装着部」の一例に相当する。トナーコンテナ１３１〜トナーコンテナ１３４は、「交換部品」の一例に相当する。以下の説明において、トナーコンテナ１３１〜トナーコンテナ１３４の各々をトナーコンテナ１３０と総称する場合がある。
【００１９】
トナーコンテナ１３１には、シアン色のトナーＴＮ１が収納される。トナーコンテナ１３１は、画像形成部４にシアン色のトナーＴＮ１を供給する。トナーコンテナ１３２には、マゼンタ色のトナーＴＮ２が収納される。トナーコンテナ１３２は、画像形成部４にマゼンタ色のトナーＴＮ２を供給する。トナーコンテナ１３３には、イエロー色のトナーＴＮ３が収納される。トナーコンテナ１３３は、画像形成部４にイエロー色のトナーＴＮ３を供給する。トナーコンテナ１３４には、黒色のトナーＴＮ４が収納される。トナーコンテナ１３４は、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、トナーＴＮ１〜トナーＴＮ４の各々をトナーＴＮと総称する場合がある。
【００２０】
トナーコンテナ１３１は、ＩＣ（Ｉｎｔｅｇｒａｔｅｄ  Ｃｉｒｃｕｉｔ）タグＧ１を備える。ＩＣタグＧ１は、トナーコンテナ１３１の周面に配置される。ＩＣタグＧ１は、トナーコンテナ１３１の識別情報ＪＤ１を記憶する。トナーコンテナ１３２は、ＩＣタグＧ２を備える。ＩＣタグＧ２は、トナーコンテナ１３２の周面に配置される。ＩＣタグＧ２は、トナーコンテナ１３２の識別情報ＪＤ２を記憶する。
【００２１】
トナーコンテナ１３３は、ＩＣタグＧ３を備える。ＩＣタグＧ３は、トナーコンテナ１３３の周面に配置される。ＩＣタグＧ３は、トナーコンテナ１３３の識別情報ＪＤ３を記憶する。トナーコンテナ１３４は、ＩＣタグＧ４を備える。ＩＣタグＧ４は、トナーコンテナ１３４の周面に配置される。ＩＣタグＧ４は、トナーコンテナ１３４の識別情報ＪＤ４を記憶する。以下の説明において、ＩＣタグＧ１〜ＩＣタグＧ４の各々をＩＣタグＧと総称する場合がある。また、識別情報ＪＤ１〜識別情報ＪＤ４の各々を識別情報ＪＤと総称する場合がある。
【００２２】
トナー供給部１３には、トナーコンテナ１３１〜トナーコンテナ１３４が着脱自在である。トナー供給部１３は、リーダーＲ１、リーダーＲ２、リーダーＲ３及びリーダーＲ４を備える。
【００２３】
リーダーＲ１は、ＩＣタグＧ１からトナーコンテナ１３１の識別情報ＪＤ１を読み取る。リーダーＲ２は、ＩＣタグＧ２からトナーコンテナ１３２の識別情報ＪＤ２を読み取る。リーダーＲ３は、ＩＣタグＧ３からトナーコンテナ１３３の識別情報ＪＤ３を読み取る。リーダーＲ４は、ＩＣタグＧ４からトナーコンテナ１３４の識別情報ＪＤ４を読み取る。以下の説明において、リーダーＲ１〜リーダーＲ４の各々を、リーダーＲＤと総称する場合がある。
【００２４】
画像形成部４は、トナーＴＮを消費することによって用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。
【００２５】
定着部１６は、用紙Ｐを加熱及び加圧し、用紙Ｐに形成された画像を用紙Ｐに定着する。排出部１７は、用紙Ｐを画像形成装置１００の外部に排出する。
【００２６】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。
【００２７】
制御部６は、プロセッサー６１及び記憶部６２を備える。プロセッサー６１は、例えばＣＰＵ（Ｃｅｎｔｒａｌ  Ｐｒｏｃｅｓｓｉｎｇ  Ｕｎｉｔ）を備える。記憶部６２は、半導体メモリーのようなメモリーを備え、ＨＤＤ（Ｈａｒｄ  Ｄｉｓｋ  Ｄｒｉｖｅ）を備えてもよい。記憶部６２は、制御プログラムを記憶している。
【００２８】
次に、図１〜図３を参照して、本発明の実施形態に係る画像形成装置１００の転送処理の一例について説明する。図３は、画像形成装置１００における画像情報ＭＪの転送処理の一例を示す図である。図３に示すように、第２画像形成装置１０２は第１画像形成装置１０１に対して画像情報ＭＪを送信する。具体的には、第２画像形成装置１０２は、ファクシミリ機能を介して画像情報ＭＪを第１画像形成装置１０１に送信する。画像情報ＭＪは、例えば、第２画像形成装置１０２の画像読取ユニット２によって生成される。すなわち、第２画像形成装置１０２の画像読取ユニット２が原稿Ｒに形成された画像を読み取り、画像情報ＭＪを生成する。第１画像形成装置１０１は、第２画像形成装置１０２から画像情報ＭＪを受信する。第２画像形成装置１０２は、「１つの画像形成装置」の一例に相当する。
【００２９】
第１画像形成装置１０１は、画像情報ＭＪを第３画像形成装置１０３に転送する場合がある。第３画像形成装置１０３は、第１画像形成装置１０１から画像情報ＭＪを受信した場合に、画像情報ＭＪが示す画像を用紙Ｐに形成する。第３画像形成装置１０３は、「他の１つの画像形成装置」の一例に相当する。第２画像形成装置１０２と第３画像形成装置１０３とは、「複数の画像形成装置」の一例に相当する。
【００３０】
また、第１画像形成装置１０１は、画像情報ＭＪをパーソナルコンピューター７Ａに転送する場合がある。パーソナルコンピューター７Ａは、第１画像形成装置１０１から画像情報ＭＪを受信した場合に、画像情報ＭＪを記憶する。パーソナルコンピューター７Ａは、例えば、特定のユーザーが使用するパーソナルコンピューター７である。特定のユーザーは、例えば、画像情報ＭＪの宛先に対応する。具体的には、画像情報ＭＪの宛先が個人を示す場合には、特定のユーザーは、画像情報ＭＪの宛先が示す個人に対応する。画像情報ＭＪの宛先が部署を示す場合には、特定のユーザーは、例えば、画像情報ＭＪの宛先が示す部署（例えば、総務課）の役職者（例えば、総務課長）に対応する。画像情報ＭＪの宛先が会社を示す場合には、特定のユーザーは、例えば、画像情報ＭＪの宛先が示す会社の窓口担当者に対応する。
【００３１】
以下の説明においては、図３に示すように、第１画像形成装置１０１が第２画像形成装置１０２から画像情報ＭＪを受信し、第１画像形成装置１０１が第３画像形成装置１０３又はパーソナルコンピューター７Ａに、画像情報ＭＪを転送する場合について説明する。すなわち、第１画像形成装置１０１が本発明に係る「画像形成装置」の一例に相当する。
【００３２】
図１〜図４を参照して、本発明の実施形態に係る制御部６の構成について説明する。図４は、制御部６の構成の一例を示す図である。
【００３３】
図４に示すように、制御部６は、記憶部６２に加えて、受信部６０１、第１判定部６０２、第２判定部６０３、第３判定部６０４、転送部６０５、指示部６０６及び削除部６０７を備える。具体的には、制御部６のプロセッサー６１は、制御プログラムを実行することによって、受信部６０１、第１判定部６０２、第２判定部６０３、第３判定部６０４、転送部６０５、指示部６０６及び削除部６０７として機能する。また、記憶部６２は、画像記憶部６２１を備える。
【００３４】
画像記憶部６２１は、受信部６０１が受信した画像情報ＭＪを記憶する。
【００３５】
受信部６０１は、第２画像形成装置１０２からファクシミリ機能を介して画像情報ＭＪを受信する。すなわち、画像情報ＭＪはモノクロ画像を示す。受信部６０１は、画像情報ＭＪを画像記憶部６２１に書き込む。
【００３６】
第１判定部６０２は、トナー供給部１３に装着されたトナーコンテナ１３０が、第１コンテナＴＣ１であるか、第２コンテナＴＣ２であるかを判定する。具体的には、第１判定部６０２は、リーダーＲＤを介して、トナーコンテナ１３４の識別情報ＪＤを取得する。そして、第１判定部６０２は、識別情報ＪＤに基づいて、トナーコンテナ１３４が、第１コンテナＴＣ１であるか、第２コンテナＴＣ２であるかを判定する。トナーコンテナ１３４には、黒色のトナーＴＮ４が収納される。第２コンテナＴＣ２は、第１コンテナＴＣ１と相違する。第１コンテナＴＣ１は、例えば専用品を示し、第２コンテナＴＣ２は、例えば非専用品を示す。
【００３７】
第２判定部６０３は、トナーコンテナ１３４が第２コンテナＴＣ２であると第１判定部６０２が判定した場合に、第３画像形成装置１０３に画像情報ＭＪを転送するか否かを判定する。具体的には、第２判定部６０３は、第３判定部６０４の判定結果に基づいて、第３画像形成装置１０３に画像情報ＭＪを転送するか否かを判定する。第３画像形成装置１０３には、第１コンテナＴＣ１が装着されている。具体的には、第３画像形成装置１０３のトナーコンテナ１３４は、第１コンテナＴＣ１である。
【００３８】
第３判定部６０４は、画像Ｍの要求品質が第１品質ＱＬ１であるか、第２品質ＱＬ２であるかを判定する。画像Ｍは、画像情報ＭＪの画像を示す。第２品質ＱＬ２は、第１品質ＱＬ１より低い品質を示す。
【００３９】
転送部６０５は、第２判定部６０３の判定結果に応じて、画像情報ＭＪを第３画像形成装置１０３に転送する。
【００４０】
指示部６０６は、画像形成部４が用紙Ｐに画像Ｍを形成するように画像形成部４を制御する。
【００４１】
削除部６０７は、情報を削除する。具体的には、削除部６０７は、画像記憶部６２１から画像情報ＭＪを削除する。更に具体的には、削除部６０７は、画像情報ＭＪを転送部６０５が第３画像形成装置１０３に転送した場合に、画像記憶部６２１から画像情報ＭＪを削除する。
【００４２】
以上、図１〜図４を参照して説明したように、本発明の実施形態では、トナーコンテナ１３０が第２コンテナＴＣ２（例えば、非専用品）であると判定した場合に、第３画像形成装置１０３に画像情報ＭＪを転送するか否かを判定する。また、トナーコンテナ１３０が第２コンテナＴＣ２である場合には、トナーコンテナ１３０が第１コンテナＴＣ１（例えば、専用品）である場合と比較して、形成される画像Ｍの品質が低下する可能性がある。よって、第３画像形成装置１０３に画像情報ＭＪを転送する場合には、ユーザーの要求する品質を満たさない画像Ｍが形成されることを回避できる。したがって、ユーザーの利便性を向上できる。
【００４３】
また、第３画像形成装置１０３には、第１コンテナＴＣ１が装着されている。具体的には、第３画像形成装置１０３のトナーコンテナ１３４は、第１コンテナＴＣ１である。よって、第３画像形成装置１０３に転送された場合には、第３画像形成装置１０３においてユーザーの要求する品質を満たす画像Ｍを形成できる。したがって、ユーザーの利便性を更に向上できる。
【００４４】
なお、本発明の実施形態では、受信部６０１が、ファクシミリ機能を介して画像情報ＭＪを受信するが、本発明はこれに限定されない。受信部６０１が画像情報ＭＪを受信すればよい。例えば、受信部６０１が所定のプロトコルを介して画像情報ＭＪを受信してもよい。所定のプロトコルは、ＳＭＴＰ（Ｓｉｍｐｌｅ  Ｍａｉｌ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、及びＳＭＢ（Ｓｅｒｖｅｒ  Ｍｅｓｓａｇｅ  Ｂｌｏｃｋ）を含む。
【００４５】
また、本発明の実施形態では、転送部６０５が画像情報ＭＪを第３画像形成装置１０３に転送するが、本発明はこれに限定されない。転送部６０５が画像情報ＭＪを他の１つの画像形成装置１００に転送すればよい。例えば、画像情報ＭＪが、転送先の画像形成装置１００の識別情報ＪＥを含んでいてもよい。この場合には、転送部６０５は、画像情報ＭＪを識別情報ＪＥに対応する画像形成装置１００に転送する。よって、複数の画像形成装置１００の中から転送先の画像形成装置１００を選択する手間を省略できる。したがって、ユーザーの利便性を更に向上できる。
【００４６】
更に、識別情報ＪＥが画像Ｍに埋め込まれていてもよい。この場合には、画像情報ＭＪが、画像Ｍを示す情報とは別に識別情報ＪＥを含む必要がない。したがって、画像情報ＭＪの構成を簡素化できる。
【００４７】
また、例えば、転送部６０５がユーザーからの操作に基づいて、転送先の画像形成装置１００を決定してもよい。具体的には、転送部６０５が、複数の画像形成装置１００の中から第１コンテナＴＣ１が装着されている画像形成装置１００を抽出して、抽出された画像形成装置１００の識別情報ＪＥをタッチパネル１４１に選択可能に表示する。そして、転送部６０５が、ユーザーからの操作に基づいて、抽出された画像形成装置１００の中から転送先の画像形成装置１００を決定する。この場合には、ユーザーの所望する画像形成装置１００に画像情報ＭＪを転送できる。したがって、ユーザーの利便性を更に向上できる。
【００４８】
次に、図４と図５（ａ）とを参照して、制御部６の構成について更に説明する。図５（ａ）は、記号オブジェクトＴＸを含む画像情報ＭＪの一例を示す図である。
【００４９】
図５（ａ）に示すように、画像情報ＭＪは、記号オブジェクトＴＸだけを含む。記号オブジェクトＴＸは、文字オブジェクト、数字オブジェクト、及びマークオブジェクトを含む。文字オブジェクトは、漢字、平仮名、片仮名、及びアルファベットの各々に対応するオブジェクトを含む。数字オブジェクトは、アラビア数字、ローマ数字、及び漢数字の各々に対応するオブジェクトを含む。マークオブジェクトは、数学記号、丸、三角、及び四角のような各種のマークの各々に対応するオブジェクトを含む。
【００５０】
図４に示す第３判定部６０４は、画像情報ＭＪに含まれる記号オブジェクトＴＸのサイズＳＺに基づいて、要求品質が第１品質ＱＬ１であるか、第２品質ＱＬ２であるかを判定する。要求品質は、画像情報ＭＪが示す画像Ｍを用紙Ｐに形成する際に、ユーザーが画像Ｍに対して要求する品質を示す。
【００５１】
例えば、記号オブジェクトＴＸのサイズＳＺが所定サイズＳＺＡ未満である場合には、第３判定部６０４は、要求品質が第１品質ＱＬ１であると判定し、記号オブジェクトＴＸのサイズＳＺが所定サイズＳＺＡ以上である場合には、第３判定部６０４は、要求品質が第２品質ＱＬ２であると判定する。所定サイズＳＺＡは、例えば、１２ポイントである。
【００５２】
第２判定部６０３は、第３判定部６０４の判定結果に基づいて、第３画像形成装置１０３に転送するか否かを判定する。具体的には、要求品質が第１品質ＱＬ１であると第３判定部６０４が判定した場合には、第２判定部６０３は、第３画像形成装置１０３に転送すると判定する。また、要求品質が第２品質ＱＬ２であると第３判定部６０４が判定した場合には、第２判定部６０３は、第３画像形成装置１０３に転送しないと判定する。
【００５３】
具体的には、制御部６は、以下のようにして画像情報ＭＪを第３画像形成装置１０３に転送するか否かを判定する。すなわち、第１判定部６０２は、黒色のトナーＴＮ４が収納されたトナーコンテナ１３４が第２コンテナＴＣ２であるか否かを判定する。そして、トナーコンテナ１３４が第２コンテナＴＣ２であると第１判定部６０２が判定した場合に、第２判定部６０３は、第３判定部６０４の判定結果に基づいて、第３画像形成装置１０３に画像情報ＭＪを転送するか否かを判定する。
【００５４】
以上、図４〜図５（ａ）を参照して説明したように、本発明の実施形態では、要求品質が第１品質ＱＬ１であるか、第２品質ＱＬ２であるかを判定し、その判定結果に基づいて、第３画像形成装置１０３に転送するか否かを判定する。例えば、要求品質が第２品質ＱＬ２である場合には転送せず、要求品質が第１品質ＱＬ１である場合には転送する。したがって、転送するか否かを的確に判定できる。
【００５５】
また、第３判定部６０４は、画像情報ＭＪに含まれる記号オブジェクトＴＸのサイズＳＺに基づいて、要求品質が第１品質ＱＬ１であるか、第２品質ＱＬ２であるかを判定する。よって、要求品質を的確に判定できる。したがって、転送するか否かを更に的確に判定できる。
【００５６】
更に、黒色のトナーＴＮ４が収納されたトナーコンテナ１３４が第２コンテナＴＣ２であると判定した場合に、第２判定部６０３は、第３判定部６０４の判定結果に基づいて、第３画像形成装置１０３に画像情報ＭＪを転送するか否かを判定する。黒色のトナーＴＮ４が収納されたトナーコンテナ１３４が第２コンテナＴＣ２（例えば、非純正品）である場合には、黒色のトナーＴＮ４が収納されたトナーコンテナ１３４が第１コンテナＴＣ１（例えば、純正品）である場合と比較して、形成される画像Ｍの品質が低下する可能性がある。よって、第３画像形成装置１０３に画像情報ＭＪを転送する場合には、ユーザーの要求する品質を満たさない画像Ｍが形成されることを回避できる。したがって、ユーザーの利便性を向上できる。
【００５７】
続いて、図４及び図５（ｂ）を参照して、制御部６の構成について更に説明する。図５（ｂ）は、画像オブジェクトＰＴを含む画像情報ＭＪの一例を示す図である。図５（ｂ）に示すように、画像情報ＭＪは、記号オブジェクトＴＸと、画像オブジェクトＰＴとを含む。記号オブジェクトＴＸのサイズＳＺは、所定サイズＳＺＡ以上である。画像オブジェクトＰＴは、例えば写真を示す。
【００５８】
第３判定部６０４は、画像情報ＭＪに画像オブジェクトＰＴが含まれるか否かに基づいて、要求品質が第１品質ＱＬ１であるか、第２品質ＱＬ２であるかを判定する。すなわち、図５（ｂ）に示すように、画像情報ＭＪが画像オブジェクトＰＴを含む場合には、第２判定部７０２は、要求品質が第１品質ＱＬ１であると判定する。また、画像情報ＭＪが画像オブジェクトＰＴを含まない場合には、第２判定部７０２は、要求品質が第２品質ＱＬ２であると判定する。
【００５９】
以上、図４及び図５（ｂ）を参照して説明したように、本発明の実施形態では、第３判定部６０４は、画像情報ＭＪに画像オブジェクトＰＴが含まれるか否かに基づいて、要求品質が第１品質ＱＬ１であるか、第２品質ＱＬ２であるかを判定する。よって、要求品質を更に的確に判定できる。したがって、転送するか否かを更に的確に判定できる。
【００６０】
なお、本発明の実施形態では、第３判定部６０４が、画像情報ＭＪに基づいて、要求品質が第１品質ＱＬ１であるか、第２品質ＱＬ２であるかを判定するが、本発明はこれに限定されない。第３判定部６０４が、要求品質が第１品質ＱＬ１であるか、第２品質ＱＬ２であるかを判定すればよい。例えば、第３判定部６０４が、ユーザーによる操作に基づいて、要求品質が第１品質ＱＬ１であるか、第２品質ＱＬ２であるかを判定してもよい。この場合には、要求品質を更に的確に判定できる。したがって、転送するか否かを更に的確に判定できる。
【００６１】
次に、図４、図６（ａ）及び図６（ｂ）を参照して、制御部６の構成について更に説明する。図６（ａ）及び図６（ｂ）は、制御部６がタッチパネル１４１に表示する画面の一例を示す画面図である。図６（ａ）は、転送画面９００の一例を示す画面図である。
【００６２】
図６（ａ）に示すように、転送画面９００には、メッセージ表示部９０１、ＹＥＳボタン９０２及びＮＯボタン９０３が表示されている。転送画面９００は、トナーコンテナ１３４が第２コンテナＴＣ２であると第１判定部６０２が判定し、且つ、画像Ｍの要求品質が第１品質ＱＬ１であると第３判定部６０４が判定した場合に、制御部６がタッチパネル１４１に表示する。
【００６３】
メッセージ表示部９０１には、画像情報ＭＪを転送するか否かをユーザーに問い合わせる旨のメッセージが表示される。例えば、メッセージ表示部９０１には、「トナーコンテナが第２コンテナであり、且つ、要求品質が第１品質であるため、画像の品質を保証できません。他の画像形成装置へ転送しますか？」とのメッセージが表示される。「トナーコンテナが第２コンテナであり、且つ、要求品質が第１品質であるため画像の品質を保証できません。」とのメッセージは、トナーコンテナ１３４が第２コンテナＴＣ２であり、且つ、要求品質が第１品質ＱＬ１であるため、用紙Ｐに形成される画像Ｍの品質を保証できないことを示す。
【００６４】
ＹＥＳボタン９０２は、画像情報ＭＪの転送をユーザーが所望する場合にユーザーによってタッチされる。ＹＥＳボタン９０２がタッチされた場合には、転送部６０５は、画像情報ＭＪを第３画像形成装置１０３に転送する。
【００６５】
ＮＯボタン９０３は、画像情報ＭＪの転送をユーザーが所望しない場合にユーザーによってタッチされる。ＮＯボタン９０３がタッチされた場合には、転送部６０５は、画像情報ＭＪを第３画像形成装置１０３に転送しない。
【００６６】
以上、図４及び図６（ａ）を参照して説明したように、本発明の実施形態では、トナーコンテナ１３４が第２コンテナＴＣ２であると第１判定部６０２が判定し、且つ、画像Ｍの要求品質が第１品質ＱＬ１であると第２判定部６０３が判定した場合に、制御部６が転送画面９００をタッチパネル１４１に表示する。そして、ユーザーからの操作に基づいて、画像情報ＭＪを転送するか否かが決定される。したがって、ユーザーの利便性を更に向上できる。
【００６７】
図６（ｂ）は、画像削除画面９１０の一例を示す画面図である。図６（ｂ）に示すように、画像削除画面９１０には、メッセージ表示部９１１、ＹＥＳボタン９１２及びＮＯボタン９１３が表示されている。画像削除画面９１０は、用紙Ｐに画像Ｍを形成し、且つ、記憶部６２に記憶された画像情報ＭＪを削除するか否かをユーザーに問い合わせる場合に、制御部６がタッチパネル１４１に表示する。
【００６８】
メッセージ表示部９１１には、ユーザーに画像情報ＭＪを削除するか否かを問い合わせる旨のメッセージが表示される。例えば、メッセージ表示部９１１には、「形成された画像の品質は良好ですか？良好であれば、画像情報を削除します。」とのメッセージが表示される。「形成された画像の品質は良好ですか？」とのメッセージは、用紙Ｐに形成された画像Ｍの品質が、ユーザーの要求を満たすか否かを示す。
【００６９】
ＹＥＳボタン９１２は、画像情報ＭＪを削除する場合にユーザーによってタッチされる。ＹＥＳボタン９１２がタッチされた場合には、削除部６０７が記憶部６２に記憶された画像情報ＭＪを削除する。
【００７０】
ＮＯボタン９１３は、画像情報ＭＪを削除しない場合にユーザーによってタッチされる。ＮＯボタン９１３がタッチされた場合には、削除部６０７は、画像情報ＭＪを削除しない。
【００７１】
以上、図４及び図６（ｂ）を参照して説明したように、本発明の実施形態では、用紙Ｐに画像Ｍを形成し、且つ、記憶部６２に記憶された画像情報ＭＪを削除するか否かをユーザーに問い合わせる場合に、制御部６が画像削除画面９１０をタッチパネル１４１に表示する。そして、ユーザーからの操作に基づいて、画像情報ＭＪを削除するか否かが決定される。したがって、ユーザーの利便性を更に向上できる。
【００７２】
次に、図４〜図１２を参照して、制御部６の処理について説明する。図７〜図１２は、制御部６の処理の一例を示すフローチャートである。
まず、図７に示すように、ステップＳ１０１において、受信部６０１が第２画像形成装置１０２から画像情報ＭＪを受信したか否かを判定する。
画像情報ＭＪを受信していないと受信部６０１が判定した場合（ステップＳ１０１でＮＯ）には、処理が待機状態になる。画像情報ＭＪを受信したと受信部６０１が判定した場合（ステップＳ１０１でＹＥＳ）には、処理がステップＳ１０３に進む。
そして、ステップＳ１０３において、第１判定部６０２は、リーダーＲＤを介して、トナーコンテナ１３４の識別情報ＪＤを取得する。
次に、ステップＳ１０５において、第１判定部６０２は、トナーコンテナ１３４が第２コンテナＴＣ２であるか否かを判定する。
トナーコンテナ１３４が第２コンテナＴＣ２ではないと第１判定部６０２が判定した場合（ステップＳ１０５でＮＯ）には、処理が図８のステップＳ１１３に進む。トナーコンテナ１３４が第２コンテナＴＣ２であると第１判定部６０２が判定した場合（ステップＳ１０５でＹＥＳ）には、処理がステップＳ１０７に進む。
そして、ステップＳ１０７において、制御部６が「要求品質判定処理」を実行する。「要求品質判定処理」とは、画像Ｍの要求品質が第１品質ＱＬ１であるか、第２品質ＱＬ２であるかを判定する処理を示す。「要求品質判定処理」については、後述にて図１３を参照して詳細に説明する。
【００７３】
次に、ステップＳ１０９において、第３判定部６０４が、画像Ｍの要求品質が第１品質ＱＬ１であるか否かを判定する。
画像Ｍの要求品質が第１品質ＱＬ１ではないと第３判定部６０４が判定した場合（ステップＳ１０９でＮＯ）には、処理が図８のステップＳ１１３に進む。
画像Ｍの要求品質が第１品質ＱＬ１であると第３判定部６０４が判定した場合（ステップＳ１０９でＹＥＳ）には、処理がステップＳ１１１に進む。
次に、ステップＳ１１１において、制御部６は、画像情報ＭＪを「Ｆコード受信」したかしていないかを判定する。「Ｆコード受信」とは、「Ｆコード送信」されたファクシミリを受信することを示す。「Ｆコード送信」とは、登録番号、又はパスワードが必要なボックス（親展ボックス）を使って、特定の画像形成装置１００（例えば、第１画像形成装置１０１）にだけ送信することを示す。また、「Ｆコード受信」した場合には、画像情報ＭＪを他の画像形成装置１００（例えば、第３画像形成装置１０３）に転送することが禁止される。
画像情報ＭＪを「Ｆコード受信」したと制御部６が判定した場合（ステップＳ１１１でＹＥＳ）には、処理が図９に示すステップＳ１２１に進む。画像情報ＭＪを「Ｆコード受信」していないと制御部６が判定した場合（ステップＳ１１１でＮＯ）には、処理が図１０に示すステップＳ１２９に進む。
【００７４】
ステップＳ１０５でＮＯの場合、又は、ステップＳ１０９でＮＯの場合には、図８に示すように、ステップＳ１１３において、指示部６０６は、画像形成部４が黒色のトナーＴＮ４を消費して用紙Ｐに画像Ｍを形成するように画像形成部４を制御する。
次に、ステップＳ１１５において、制御部６は、画像削除画面９１０をタッチパネル１４１に表示する。
次に、ステップＳ１１７において、制御部６は、ユーザーからの操作に基づいて、画像情報ＭＪを削除するか否かを判定する。
画像情報ＭＪを削除しないと制御部６が判定した場合（ステップＳ１１７でＮＯ）には、処理が終了する。画像情報ＭＪを削除すると制御部６が判定した場合（ステップＳ１１７でＹＥＳ）には、処理がステップＳ１１９に進む。
そして、ステップＳ１１９において、削除部６０７が、画像記憶部６２１から画像情報ＭＪを削除して、処理が終了する。
【００７５】
図７のステップＳ１１１でＹＥＳの場合には、図９に示すように、ステップＳ１２１において、指示部６０６は、画像形成部４が黒色のトナーＴＮ４を消費して用紙Ｐに画像Ｍを形成するように画像形成部４を制御する。
次に、ステップＳ１２３において、制御部６は、画像削除画面９１０をタッチパネル１４１に表示する。
次に、ステップＳ１２５において、制御部６は、ユーザーからの操作に基づいて、画像情報ＭＪを削除するか否かを判定する。
画像情報ＭＪを削除しないと制御部６が判定した場合（ステップＳ１２５でＮＯ）には、処理が図１０に示すステップＳ１２９に進む。画像情報ＭＪを削除すると制御部６が判定した場合（ステップＳ１２５でＹＥＳ）には、処理がステップＳ１２７に進む。
そして、ステップＳ１２７において、削除部６０７が、画像記憶部６２１から画像情報ＭＪを削除して、処理が終了する。
【００７６】
図７のステップＳ１１１でＮＯの場合、又は、図９のステップＳ１２５でＮＯの場合には、図１０に示すように、ステップＳ１２９において、制御部６は、転送画面９００をタッチパネル１４１に表示する。
次に、ステップＳ１３１において、制御部６は、ユーザーからの操作に基づいて、画像情報ＭＪを第３画像形成装置１０３に転送するか否かを判定する。
画像情報ＭＪを第３画像形成装置１０３に転送しないと制御部６が判定した場合（ステップＳ１３１でＮＯ）には、処理が図１１のステップＳ１３９に進む。画像情報ＭＪを第３画像形成装置１０３に転送すると制御部６が判定した場合（ステップＳ１３１でＹＥＳ）には、処理がステップＳ１３３に進む。
そして、ステップＳ１３３において、転送部６０５は、画像情報ＭＪの第３画像形成装置１０３への転送を実行する。
次に、ステップＳ１３５において、制御部６は、画像情報ＭＪを削除するか否かを判定する。例えば、画像情報ＭＪの第３画像形成装置１０３への転送が成功した場合には、制御部６は画像情報ＭＪを削除すると判定し、画像情報ＭＪの第３画像形成装置１０３への転送が失敗した場合には、制御部６は画像情報ＭＪを削除しないと判定する。
画像情報ＭＪを削除しないと制御部６が判定した場合（ステップＳ１３５でＮＯ）には、処理が終了する。画像情報ＭＪを削除すると制御部６が判定した場合（ステップＳ１３５でＹＥＳ）には、処理がステップＳ１３７に進む。
そして、ステップＳ１３７において、削除部６０７が、画像記憶部６２１から画像情報ＭＪを削除して、処理が終了する。
【００７７】
図１０のステップＳ１３１でＮＯの場合には、図１１に示すように、ステップＳ１３９において、指示部６０６は、画像形成部４が黒色のトナーＴＮ４を消費して用紙Ｐに画像Ｍを形成するように画像形成部４を制御する。
次に、ステップＳ１４１において、制御部６は、画像削除画面９１０をタッチパネル１４１に表示する。
次に、ステップＳ１４３において、制御部６は、ユーザーからの操作に基づいて、画像情報ＭＪを削除するか否かを判定する。
画像情報ＭＪを削除しないと制御部６が判定した場合（ステップＳ１４３でＮＯ）には、処理が図１２に示すステップＳ１４７に進む。画像情報ＭＪを削除すると制御部６が判定した場合（ステップＳ１４３でＹＥＳ）には、処理がステップＳ１４５に進む。
そして、ステップＳ１４５において、削除部６０７が、画像記憶部６２１から画像情報ＭＪを削除して、処理が終了する。
【００７８】
図１１のステップＳ１４３でＮＯの場合には、図１２に示すように、ステップＳ１４７において、第１判定部６０２は、トナーコンテナ１３１が第１コンテナＴＣ１であるか否かを判定する。トナーコンテナ１３１には、シアン色のトナーＴＮ１が収納されている。
トナーコンテナ１３１が第１コンテナＴＣ１ではないと判定した場合（ステップＳ１４７でＮＯ）には、処理がステップＳ１５１に進む。
そして、ステップＳ１５１において、転送部６０５が、画像情報ＭＪをパーソナルコンピューター７Ａに転送し、処理がステップＳ１５５に進む。
トナーコンテナ１３１が第１コンテナＴＣ１であると判定した場合（ステップＳ１４７でＹＥＳ）には、処理がステップＳ１４９に進む。
そして、ステップＳ１４９において、指示部６０６は、画像形成部４がシアン色のトナーＴＮ１を消費して用紙Ｐに画像Ｍを形成するように画像形成部４を制御する。
次に、ステップＳ１５３において、制御部６は、画像削除画面９１０をタッチパネル１４１に表示する。
次に、ステップＳ１５５において、制御部６は、画像情報ＭＪを削除するか否かを判定する。例えば、制御部６は、ユーザーからの操作に基づいて、画像情報ＭＪを削除するか否かを判定する。また、例えば、画像情報ＭＪのパーソナルコンピューター７Ａへの転送が成功した場合には、制御部６は、画像情報ＭＪを削除すると判定し、画像情報ＭＪのパーソナルコンピューター７Ａへの転送が失敗した場合には、制御部６は、画像情報ＭＪを削除しないと判定する。
画像情報ＭＪを削除しないと制御部６が判定した場合（ステップＳ１５５でＮＯ）には、処理が終了する。画像情報ＭＪを削除すると制御部６が判定した場合（ステップＳ１５５でＹＥＳ）には、処理がステップＳ１５７に進む。
そして、ステップＳ１５７において、削除部６０７が、画像記憶部６２１から画像情報ＭＪを削除して、処理が終了する。
【００７９】
以上、図４〜図１２を参照して説明したように、本発明の実施形態では、下記の４つの条件（条件Ａ〜条件Ｄ）を満たす場合に、指示部６０６は、画像形成部４がシアン色のトナーＴＮ４を消費して用紙Ｐに画像Ｍを形成するように画像形成部４を制御する。
条件Ａ：トナーコンテナ１３４は第２コンテナＴＣ２である。
条件Ｂ：要求品質は第１品質ＱＬ１である。
条件Ｃ：第３画像形成装置１０３に転送しないと判定した。
条件Ｄ：トナーコンテナ１３１は第１コンテナＴＣ１である。
よって、第１コンテナＴＣ１に収納されたトナーＴＮ１によって画像Ｍが形成される。したがって、ユーザーの要求する品質を満たす画像Ｍを形成することが可能になる。
【００８０】
なお、本発明の実施形態では、指示部６０６は、画像形成部４がシアン色のトナーＴＮ４を消費して用紙Ｐに画像Ｍを形成するように画像形成部４を制御するが、本発明はこれに限定されない。指示部６０６は、画像形成部４が黒色以外のトナーＴＮを消費して用紙Ｐに画像Ｍを形成するように画像形成部４を制御すればよい。例えば、トナーコンテナ１３１〜トナーコンテナ１３３が第１コンテナＴＣ１である場合には、指示部６０６は、画像形成部４がシアン色のトナーＴＮ１、マゼンタ色のトナーＴＮ２及びイエロー色のトナーＴＮ３のうちの少なくとも１つの色のトナーＴＮを消費して用紙Ｐに画像Ｍを形成するように画像形成部４を制御してもよい。具体的には、指示部６０６は、画像形成部４がシアン色のトナーＴＮ１、マゼンタ色のトナーＴＮ２及びイエロー色のトナーＴＮ３を消費して用紙Ｐに画像Ｍを形成するように画像形成部４を制御してもよい。この場合には、指示部６０６は、画像形成部４がシアン色のトナーＴＮ１、マゼンタ色のトナーＴＮ２及びイエロー色のトナーＴＮ３を重畳して、黒色に近似する色の画像を形成するように画像形成部４を制御することが好ましい。
【００８１】
また、４つの条件（上記条件Ａ〜条件Ｃ、及び下記の条件Ｅ）を満たす場合に、転送部６０５は、画像情報ＭＪをパーソナルコンピューター７Ａに転送する。
条件Ｅ：トナーコンテナ１３１は第２コンテナＴＣ２である。
よって、ユーザーの要求する品質を満たさない画像Ｍが形成されることを回避できる。したがって、ユーザーの利便性を向上できる。
【００８２】
更に、画像情報ＭＪを第３画像形成装置１０３に転送した場合に、記憶部６２から画像情報ＭＪを削除する。したがって、画像情報ＭＪが記憶部６２に蓄積され、記憶部６２の空き容量が所定容量以下に減少することを回避できる。
【００８３】
なお、本発明の実施形態では、画像情報ＭＪを第３画像形成装置１０３に転送した場合に、削除部６０７が記憶部６２から画像情報ＭＪを削除するが、本発明はこれに限定されない。削除部６０７が、所定の条件を満たす場合に記憶部６２から画像情報ＭＪを削除すればよい。例えば、削除部６０７が、画像情報ＭＪを受信部６０１が受信してから所定期間（例えば、１０日間）経過した場合に、記憶部６２から画像情報ＭＪを削除してもよい。この場合には、画像情報ＭＪが記憶部６２に蓄積され、記憶部６２の空き容量が所定容量以下に減少することを確実に回避できる。
【００８４】
次に、図４〜図１３を参照して、制御部６の「要求品質判定処理」について説明する。図１３は、制御部６の「要求品質判定処理」の一例を示すフローチャートである。
図１３に示すように、ステップＳ２０１において、第３判定部６０４は、画像情報ＭＪが記号オブジェクトＴＸを含むか否か判定する。
画像情報ＭＪが記号オブジェクトＴＸを含まないと第３判定部６０４が判定した場合（ステップＳ２０１でＮＯ）には、処理がステップＳ２０５に進む。画像情報ＭＪが記号オブジェクトＴＸを含むと第３判定部６０４が判定した場合（ステップＳ２０１でＹＥＳ）には、処理がステップＳ２０３に進む。
そして、ステップＳ２０３において、第３判定部６０４は、記号オブジェクトＴＸのサイズＳＺが所定サイズＳＺＡ未満であるか否かを判定する。
記号オブジェクトＴＸのサイズＳＺが所定サイズＳＺＡ未満であると第３判定部６０４が判定した場合（ステップＳ２０３でＹＥＳ）には、処理がステップＳ２０９に進む。記号オブジェクトＴＸのサイズＳＺが所定サイズＳＺＡ未満ではないと第３判定部６０４が判定した場合（ステップＳ２０３でＮＯ）には、処理がステップＳ２０５に進む。
【００８５】
そして、ステップＳ２０５において、第３判定部６０４は、画像情報ＭＪが画像オブジェクトＰＴを含むか否か判定する。
画像情報ＭＪが画像オブジェクトＰＴを含まないと第３判定部６０４が判定した場合（ステップＳ２０５でＮＯ）には、処理がステップＳ２０７に進む。
そして、ステップＳ２０７において、第３判定部６０４は、要求品質が第２品質ＱＬ２であると判定し、処理が図７のステップＳ１０９にリターンする。
画像情報ＭＪが画像オブジェクトＰＴを含むと第３判定部６０４が判定した場合（ステップＳ２０５でＹＥＳ）には、処理がステップＳ２０９に進む。
そして、ステップＳ２０９において、第３判定部６０４は、要求品質が第１品質ＱＬ１であると判定し、処理が図７のステップＳ１０９にリターンする。
【００８６】
以上、図４〜図１３を参照して説明したように、本発明の実施形態では、第３判定部６０４が、記号オブジェクトＴＸのサイズＳＺに基づいて、要求品質が第１品質ＱＬ１であるか否かを判定する。また、第３判定部６０４が、画像情報ＭＪが画像オブジェクトＰＴを含むか否かに応じて、要求品質が第１品質ＱＬ１であるか否かを判定する。したがって、簡素な処理で要求品質が第１品質ＱＬ１であるか否かを判定できる。
【００８７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８８】
（１）図１〜図３を参照して説明したように、本発明の実施形態では、「消耗品」がトナーＴＮであり、「交換部品」がトナーコンテナ１３０であるが、本発明はこれに限定されない。「消耗品」を消費することによって用紙Ｐに画像Ｍを形成すればよい。例えば、「消耗品」がインクであり、「交換部品」がインクカートリッジでもよい。この場合には、「画像形成装置」は、インクジェット記録装置である。
【００８９】
（２）図１〜図３を参照して説明したように、本発明の実施形態では、画像形成装置１００がカラー複合機であるが、本発明はこれに限定されない。画像形成装置１００が用紙Ｐに画像Ｍを形成すればよい。例えば、画像形成装置１００がモノクロの複合機でもよいし、画像形成装置１００がカラープリンターでもよい。
【００９０】
（３）図１〜図３を参照して説明したように、本発明の実施形態では、情報処理装置がパーソナルコンピューター７であるが、本発明はこれに限定されない。情報処理装置が制御部（コンピューター及び記憶部）を備えればよい。情報処理装置が、例えばサーバー装置でもよい。また、情報処理装置が、例えばタブレット型端末装置でもよいし、スマートフォンでもよい。
【００９１】
（４）図１〜図３を参照して説明したように、本発明の実施形態では、第１画像形成装置１０１が第２画像形成装置１０２から画像情報ＭＪを受信するが、本発明はこれに限定されない。第１画像形成装置１０１が、ネットワーク８を介して通信可能に接続された画像形成装置１００から画像情報ＭＪを受信すればよい。例えば、第１画像形成装置１０１が第３画像形成装置１０３から画像情報ＭＪを受信してもよい。
【００９２】
（５）図１〜図３を参照して説明したように、本発明の実施形態では、第１画像形成装置１０１が第３画像形成装置１０３に画像情報ＭＪを転送するが、本発明はこれに限定されない。第１画像形成装置１０１が、ネットワーク８を介して通信可能に接続された画像形成装置１００に画像情報ＭＪを転送すればよい。例えば、第１画像形成装置１０１が第２画像形成装置１０２に画像情報ＭＪを転送してもよい。
【００９３】
（６）図１〜図３を参照して説明したように、本発明の実施形態では、第１画像形成装置１０１がパーソナルコンピューター７Ａに画像情報ＭＪを転送するが、本発明はこれに限定されない。第１画像形成装置１０１が、ネットワーク８を介して通信可能に接続されたパーソナルコンピューター７に画像情報ＭＪを転送すればよい。例えば、第１画像形成装置１０１がパーソナルコンピューター７Ｂに画像情報ＭＪを転送してもよい。
【産業上の利用可能性】
【００９４】
本発明は、画像形成装置の分野に利用可能である。
【符号の説明】
【００９５】
２００    画像形成システム
１００    画像形成装置
１０１    第１画像形成装置
１０２    第２画像形成装置
１０３    第３画像形成装置
１    画像形成ユニット
４、４ｃ、４ｍ、４ｙ、４ｋ    画像形成部
５    転写部
５４    中間転写ベルト
Ｓ    濃度センサー
１３    トナー供給部（装着部）
１３０、１３１〜１３４    トナーコンテナ（交換部品）
Ｇ、Ｇ１〜Ｇ４    ＩＣタグ
ＲＤ、Ｒ１〜Ｒ４    リーダー
ＴＮ、ＴＮ１〜ＴＮ４    トナー
１４    操作パネル
１４１    タッチパネル
６    第１制御部
６１    第１プロセッサー
６０１    受信部
６０２    第１判定部
６０３    第２判定部
６０４    第３判定部
６０５    転送部
６０６    指示部
６０７    削除部
６２    記憶部
６２１    画像記憶部
２    画像読取ユニット
３    原稿搬送ユニット
７、７Ａ、７Ｂ、７Ｃ    パーソナルコンピューター（情報処理装置）
【図１】
2019095588.tif 000003
【図２】
2019095588.tif 000004
【図３】
2019095588.tif 000005
【図４】
2019095588.tif 000006
【図５】
2019095588.tif 000007
【図６】
2019095588.tif 000008
【図７】
2019095588.tif 000009
【図８】
2019095588.tif 000010
【図９】
2019095588.tif 000011
【図１０】
2019095588.tif 000012
【図１１】
2019095588.tif 000013
【図１２】
2019095588.tif 000014
【図１３】
2019095588.tif 000015